(57)【要約】【課題】従来のカメラ異常検知装置は、更新タイミング時のカメラ画像を参照画像に取り込むため、取り込み時に背景画像以外の物体や人が映りこんだ場合、適切な参照画像ではなく、判定性能劣化が生じる。また、カメラの設置環境に応じて比較判定基準を調整する必要がある。【解決手段】カメラから送信される画像を受信する画像受信部と、カメラから送信される標準的画像と推定される値を参照画像として保存する参照画像保存部と、作動中に画像受信部で受信した画像と、参照画像保存部に保存された参照画像とを比較し、所定の判定基準によりカメラ異常の有無を判定する異常判定部と、画像受信部で受信した画像に基づいて、参照画像保存部に保存された参照画像を逐次補正する参照画像補正部又は異常判定部において用いられる判定基準を逐次補正する判定基準補正部を備える。【選択図】図２
2008236353.tif 000002
【特許請求の範囲】
【請求項１】
カメラの正常時に対象を撮影した画像を参照画像とし、作動中にカメラで対象を撮影した画像を上記参照画像と比較してカメラの異常を検知するカメラ異常検知装置において、
カメラから送信される画像を受信する画像受信部と、
カメラから送信される標準的画像と推定される値を参照画像として保存する参照画像保存部と、
上記作動中に画像受信部で受信した画像と、上記参照画像保存部に保存された参照画像とを比較し、所定の判定基準によりカメラ異常の有無を判定する異常判定部と、
上記画像受信部で受信した画像に基づいて、上記参照画像保存部に保存された上記参照画像を逐次補正する参照画像補正部を備えることを特徴とするカメラ異常検知装置。
【請求項２】
上記参照画像補正部は、上記異常判定部の出力する判定結果が「カメラ異常」の場合に、参照画像の補正を停止することを特徴とする請求項１に記載のカメラ異常検知装置。
【請求項３】
上記参照画像補正部は、上記異常判定部の出力する判定結果が「カメラ正常」の場合に、現在の参照画像を上記画像受信部で受信した画像に近づける方向に微小変動させる方法により参照画像を補正することを特徴とする請求項１に記載のカメラ異常検知装置。
【請求項４】
カメラの正常時に対象を撮影した画像を参照画像とし、作動中にカメラで対象を撮影した画像を上記参照画像と比較してカメラの異常を検知するカメラ異常検知装置において、
カメラから送信される画像を受信する画像受信部と、
カメラから送信される標準的画像と推定される値を参照画像として保存する参照画像保存部と、
上記作動中に画像受信部で受信した画像と、上記参照画像保存部に保存された参照画像とを比較し、所定の判定基準によりカメラ異常の有無を判定する異常判定部と、
上記作動中に画像受信部で受信した画像に基づいて、上記異常判定部において用いられる上記判定基準を逐次補正する判定基準補正部
を備えることを特徴とするカメラ異常検知装置。
【請求項５】
上記判定基準補正部は、上記異常判定部の出力する判定結果が「カメラ異常」の場合に、判定基準の補正を停止することを特徴とする請求項４に記載のカメラ異常検知装置。
【請求項６】
上記判定基準補正部は、上記異常判定部の出力する判定結果が「カメラ正常」の場合に、上記画像受信部で受信した画像と、上記参照画像保存部に保存された参照画像との差異の大きさに応じて上記判定基準を微小変動させることにより、上記判定基準を補正することを特徴とする請求項４に記載のカメラ異常検知装置。
【請求項７】
上記異常判定部は、上記画像受信部で受信した画像と上記参照画像保存部に保存された参照画像それぞれを複数のブロックに分割し、
分割されたそれぞれのブロック毎に上記画像受信部で受信した画像と上記参照画像保存部に保存された参照画像とを比較し、
所定数以上のブロックにおいて上記画像受信部で受信した画像と上記参照画像保存部に保存された参照画像との差異が大きい場合に「カメラ異常」と判定することを特徴とする請求項１または請求項４に記載のカメラ異常検知装置。
【請求項８】
上記異常判定部は、上記画像受信部で受信した画像と上記参照画像保存部に保存された参照画像それぞれから、画像の特徴を示す単一または複数の特徴量を算出し、上記画像受信部で受信した画像の特徴量と上記参照画像保存部に保存された参照画像の特徴量との差異が大きい場合に「カメラ異常」と判定することを特徴とする請求項１または請求項４に記載のカメラ異常検知装置。
【請求項９】
カメラの正常時に対象を撮影した画像を参照画像とし、作動中にカメラで対象を撮影した画像を上記参照画像と比較してカメラの異常を検知するカメラ異常検知装置において、
カメラから送信される画像を受信する画像受信部と、
カメラから送信される標準的画像と推定される値を参照画像として保存する参照画像保存部と、
上記画像受信部で受信した画像と、上記参照画像保存部に保存された参照画像とを比較し、所定の判定基準によりカメラ異常の有無を判定する異常判定部を備え、
上記参照画像保存部は、特定の時間帯毎に適用される複数の参照画像を保持し、上記画像受信部で受信した画像に基づいて、各々の参照画像が適用されるべき時間帯を逐次補正することを特徴とするカメラ異常検知装置。
【発明の詳細な説明】
【技術分野】
【０００１】
この発明は、画像監視システム等のカメラに妨害行為や偽装行為等が行われているか否かを検知するカメラ異常検知装置に関し、特にカメラの異常判定のための参照画像および判定基準を補正する技術に関する。
【背景技術】
【０００２】
画像監視システムで、カメラのレンズ面にシールを貼る、スプレーをかける等の妨害行為や、監視の目をごまかすために、カメラの撮像位置や撮像方向を変える等の偽装行為が行われた時に、そのような行為を監視カメラおよび画像監視システム自体で検知するものに、例えば特開2005-252479号公報（監視カメラ妨害検知装置）に示される技術がある。この従来のカメラの異常を検知する「監視カメラ妨害検知装置」は、入力画像に対して妨害行為が行われているかどうかの判断基準となる基準画像（参照画像）を、基準画像更新タイミングで複数自動的に取り込み、複数の基準画像の各々と入力画像との間で画像特徴を比較して画像間の不一致度を求め、妨害行為が行われているかどうかを判定するようにしていた。
【０００３】
【特許文献１】特開2005-252479号公報  第４頁、第２図
【発明の開示】
【発明が解決しようとする課題】
【０００４】
従来のカメラ異常検知装置は、更新タイミングにおけるカメラ画像を参照画像（基準画像）として取り込んでいるため、ちょうど参照画像取り込みのタイミングで参照画像以外の物体や人がカメラ画像に映り込んだ場合に、取り込まれた参照画像が適切な画像でなくなり、判定性能劣化の影響が生じるという問題点があった。また、カメラの設置環境に応じて比較判定の基準を調整する必要があるという問題点があった。
【０００５】
この発明は上記のような問題点を解決するためになされたもので、参照画像の選び方が不適切であっても適切な参照画像に自動補正され、良好な判定性能が得られるようにすることを目的とする。また、カメラの設置環境に応じた比較判定の基準の調整を不要にすることを目的とする。
【課題を解決するための手段】
【０００６】
この発明に係るカメラ異常検知装置は、
カメラの正常時に対象を撮影した画像を参照画像とし、作動中にカメラで対象を撮影した画像を上記参照画像と比較してカメラの異常を検知するカメラ異常検知装置において、
カメラから送信される画像を受信する画像受信部と、
カメラから送信される標準的画像と推定される値を参照画像として保存する参照画像保存部と、
上記作動中に画像受信部で受信した画像と、上記参照画像保存部に保存された参照画像とを比較し、所定の判定基準によりカメラ異常の有無を判定する異常判定部と、
上記画像受信部で受信した画像に基づいて、上記参照画像保存部に保存された上記参照画像を逐次補正する参照画像補正部、または上記作動中に画像受信部で受信した画像に基づいて、上記異常判定部において用いられる上記判定基準を逐次補正する判定基準補正部を備える。
【発明の効果】
【０００７】
この発明に係るカメラ異常検知装置によれば、参照画像を入力画像にあわせて適切な値に変更するようにしているので、参照画像の初期値の選び方が適切でなくても、自動的に適切な値に修正され、初期設定作業の煩雑さが軽減される効果がある。
また、参照画像を入力画像にあわせて適切な値に変更するようにしているので、時間によって光量が変化するような環境でカメラを使用する場合でも、環境に応じて適切な値に参照画像が補正され、異常判定の誤りが少ない安定した動作をさせることができる効果がある。
【発明を実施するための最良の形態】
【０００８】
実施の形態１．
図１はこの発明の実施の形態１におけるカメラ異常検知装置が適用される画像監視システムの一例を示す構成図である。
図１において、１は監視対象エリアを撮影し、撮影した画像をネットワーク２に送出するカメラ、２はカメラ１、レコーダ３、表示端末４、カメラ異常検知装置５が接続されるネットワーク、３はカメラ１からネットワーク２に送出された画像を録画するレコーダ、４はカメラ１からネットワーク２に送出された画像を表示する表示端末、５はネットワーク２に接続されたカメラ１の異常を検知するカメラ異常検知装置である。
【０００９】
次にこの画像監視システムの動作について説明する。
まずカメラ１は撮影した画像をデジタル化し、Ｍ−ＪＰＥＧ（Motion−Joint Photographic Experts Group）等の符号化方式により圧縮し、ＵＤＰ（User Datagram Protocol）パケット化してネットワーク２にマルチキャスト送信する。
ネットワーク２はＩＰ（Internet Protocol）ネットワークであり、カメラ１からネットワーク２にマルチキャスト送信された画像は、ネットワーク２に接続されたレコーダ３、表示端末４、カメラ異常検知装置５のそれぞれで受信される。
【００１０】
レコーダ３は受信したカメラ１からの画像データをレコーダ３内部のハードディスク等の固定記憶装置に保存し、後にユーザからの要求により保存した画像データを再生して見ることができるようになっている。
表示端末４はカメラ１からのＭ−ＪＰＥＧ符号化された画像データを復号してディスプレイ画面に表示し、ユーザが監視対象のエリアをリアルタイムに監視できるようになっている。
カメラ異常検知装置５はカメラ１からのＭ−ＪＰＥＧ符号化された画像データを復号し、画像データを解析することによりカメラ１の異常の有無を判定する。
【００１１】
また、図２はこの発明の実施の形態１の図１に示されるカメラ異常検知装置５の詳細構成を示す構成図である。
図２において、画像受信部１０はカメラ１から送出される画像データ１００を受信する受信回路、参照画像保存部２０はカメラ１が正常な時の標準的画像と推定される値を参照画像として保存する記憶素子、異常判定部３０は画像受信部１０で受信した画像データと参照画像保存部２０に記憶された参照画像との比較によりカメラ１の異常の有無を判定する判定回路、参照画像補正部４０は画像受信部１０で受信した画像データと異常判定部３０の判定結果に基づき、参照画像補正部２０に記憶された参照画像を補正する回路である。
【００１２】
次に動作について説明する。
画像受信部１０はネットワーク２を経由して送られてきたカメラ１からのＭ−ＪＰＥＧ符号化、ＵＤＰパケット化された画像データを受信し、まずＵＤＰパケットを分解してペイロードを取り出し、次にペイロードのデータをＪＰＥＧ復号して、各画素の輝度（Ｙ）、色差（Ｃｒ、Ｃｂ）を得る。
【００１３】
参照画像保存部２０は、後述する異常判定部３０においてカメラ１が正常か否かの判定に用いるための標準的画像と推定されるカメラ画像を参照画像として保存しておくものである。
参照画像保存部２０内に保存する参照カメラ画像の初期値は、カメラ正常の時の画像データが用いられ、例えば画像監視システムの設置後、運用開始前に、ユーザが表示端末４でカメラ画像が正常であることを確認しながら、初期データ取り込み指示１０２の操作をすると、その操作時のカメラ画像における、各画素の輝度（Ｙ）と、色差（Ｃｒ、Ｃｂ）の値が参照カメラ画像として参照画像保存部２０内に取り込まれる。
また、画像監視システムの運用を開始すると、参照画像保存部２０は、参照画像補正部４０からの指示に従い、参照カメラ画像を最適な値に補正する。
なお、上記初期値として取り込む画像は、人などの動く物体が映り込んでいないときの画像を使うことがより望ましいが、後に説明する参照画像補正部４０の動作により参照カメラ画像が最適な値に補正されるので、人などの動く物体が映り込んでいても正常に動作する。
【００１４】
次に異常判定部３０は、画像受信部１０から入力画像の各画素の輝度（Ｙ）と、色差（Ｃｒ、Ｃｂ）データを入力するとともに、参照画像保存部２０から参照画像の各画素の輝度（Ｙ）と、色差（Ｃｒ、Ｃｂ）データを入力し、各画素について、入力画像と参照画像の輝度（Ｙ）と、色差（Ｃｒ、Ｃｂ）の差を算出する。
そして、入力画像と参照画像の差が大きい画素数（Ｎｄ）を算出する。具体的には、例えば、以下の３つの条件のうち少なくとも１つを満足する画素数をカウントし、これを入力画像と参照画像の差が大きい画素数（Ｎｄ）とする。
【００１５】
条件１：算出された輝度（Ｙ）の差（Ｄｙ）が、所定の閾値（ＴＨｙ）よりも大きい。
条件２：算出された色差（Ｃｒ）の差（Ｄｃｒ）が、所定の閾値（ＴＨｃｒ）よりも大きい。
条件３：算出された色差（Ｃｂ）の差（Ｄｃｂ）が、所定の閾値（ＴＨｃｂ）よりも大きい。
そして、カウントされた画素数（Ｎｄ）が、所定の閾値ＴＨｎｄよりも大きい場合、異常と判定し、それ以外の場合正常と判定し、判定結果を出力する。
【００１６】
参照画像補正部４０は、異常判定部３０の判定結果が「正常」の場合に、以下の処理により参照画像保存部２０に記憶された参照画像を補正する。
すなわち、参照画像保存部２０内に現在保存されている参照画像の各画素の輝度（Ｙ）、色差（Ｃｒ、Ｃｂ）の値を、入力画像データの輝度（Ｙ）、色差（Ｃｒ、Ｃｂ）の値に近づく方向に微小変動させ、新しい参照画像の輝度（Ｙ）、色差（Ｃｒ、Ｃｂ）の値とする。
例えば輝度（Ｙ）値の補正を例にとると、
Ｙ(n)：参照画像の、時刻ｎにおける特定の画素の輝度値
Ｉ(n)：入力画像の、時刻ｎにおける上記と同じ画素の輝度値
Ｐ  ：所定の係数（０に近い正の値）
とした時に、
Ｙ(n+1) ＝ （１−Ｐ）・Ｙ(n) ＋Ｐ・Ｉ(n)
の演算により、新しい参照画像の輝度値Ｙ(n+1)を補正することができる。この処理を参照画像の全ての画素について行う。
【００１７】
また、色差（Ｃｒ、Ｃｂ）についても、上記で説明した輝度（Ｙ）値と同様の処理により補正を行う。
そして、補正された新しい参照画像の輝度値、色差値を参照画像保存部２０にセットする。
なお、参照画像補正部４０は、異常判定部３０の判定結果が「異常」の場合には、参照画像保存部２０に対する参照画像の補正は行わない。
【００１８】
以上のように、参照画像を入力画像にあわせて最適な値に変えるようにしているので、参照画像の初期値の選び方が適切でなくても、自動的に修正され、初期設定作業の煩雑さが軽減される効果がある。
また、参照画像を入力画像にあわせて最適な値に変えるようにしているので、時間によって光量が変化するような環境でカメラを使用する場合でも、環境に応じて最適な値に参照画像が補正され、異常判定の誤りが少ない安定した動作をさせることができる効果がある。
【００１９】
なお、図１において、カメラ台数が１台の場合について説明したが、複数のカメラがネットワーク２に接続されている場合のカメラ異常検知にも適用できる。1台のカメラ異常検知装置５で多数のカメラの異常検知を行う場合、カメラ異常検知装置５内の処理負荷が増大するという課題があるが、カメラ異常検知装置５内でカメラからの画像のフレームを間引きして処理することで処理負荷を軽減でき、多数カメラにも対応可能である。
【００２０】
また、図１において、レコーダ３、表示端末４は必須の構成ではなく、レコーダ３での画像の録画を行わず表示端末４を用いて監視員がリアルタイム監視を行う構成や、表示端末４を用いたリアルタイム監視を行わずレコーダ３での画像の録画のみを行う構成にも適用できる。
また、図１において、カメラ１の異常の有無をカメラ異常検知装置５内で検出する構成について説明したが、カメラ１の異常検知の機能をレコーダ３もしくは表示端末４内に持たせても良い。
またカメラ１からの画像をマルチキャストで送信する例について説明したが、カメラ１からの画像はユニキャストで送信しても良い。
例えば、カメラ１の画像をユニキャストでレコーダ３に送信する場合は、レコーダ３内にカメラ異常検知機能を持たせれば良く、カメラ１の画像をユニキャストで表示端末４に送信する場合は、表示端末４内にカメラ異常検知機能を持たせれば良い。
【００２１】
また、図１において、ネットワーク２がＩＰネットワークである場合について説明したが、ＩＰネットワークに限らず、カメラ１から送信する画像をカメラ異常検知装置５で受信できる構成であれば適用可能である。
また、図１において、カメラ１がデジタル化されたカメラ画像をＵＤＰパケット化するものについて説明したが、ＵＤＰに限らず、ＴＣＰ（Transmission Control Protocol）等の他のプロトコルでパケット化するものであっても良い。
【００２２】
また、図１において、カメラ１からの画像がＭ−ＪＰＥＧで符号化されるものについて説明したが、Ｍ−ＪＰＥＧに限らず、ＭＰＥＧ（Moving Picture Experts Group）２、ＭＰＥＧ４等の他の符号化方式で符号化される場合や、圧縮符号化を行わない場合にも適用できる。例えばカメラ１からの画像を圧縮符号化しない場合、図２中の画像受信部１０において復号処理が不要となる。
【００２３】
また、カメラ１からの画像がアナログ信号で送信される構成においても、カメラ異常検知装置５で受信したアナログの画像信号を図２中の画像受信部１０においてデジタル化することにより、この実施の形態１の構成にてカメラ１の異常検知が可能である。
また、図２において、画像受信部１０は復号した画像信号を輝度（Ｙ）と、色差（Ｃｒ、Ｃｂ）の形式で出力するものについて説明したが、Ｙ、Ｃｒ、Ｃｂに限らず、例えばＲＧＢ（Red−Green−Blue）の形式であっても良い。
【００２４】
また、図２において、参照画像保存部２０において保存するデータは画素ごとのＹ、Ｃｒ、Ｃｂに限らず、ＲＧＢでもよい。また、複数の画素のデータの代表値（平均、最大、最小）や、画像の特徴を示す値（特徴量）を抽出して保存してもよい。
また、図２における異常判定部３０は、入力画像と参照画像の差が大きい画素数（Ｎｄ）を算出し、カウントされた画素数（Ｎｄ）が、所定の閾値ＴＨｎｄよりも大きい場合、異常と判定し、それ以外の場合正常と判定するものについて説明したが、これは判定基準の一例を示したものであり、他の判定基準であっても良い。
【００２５】
また、図２における参照画像補正部４０は、
Ｙ(n+1) ＝ （１−Ｐ）・Ｙ(n) ＋Ｐ・Ｉ(n)
の演算により、新しい参照画像の輝度値Ｙ(n+1)を補正するようにしていたが、これは補正処理の一例を示したものであり、他の演算式により補正するものであっても良い。
【００２６】
例えば、輝度（Ｙ）値の補正について、
Ｙ(n)：参照画像の、時刻ｎにおける特定の画素の輝度値
Ｉ(n)：入力画像の、時刻ｎにおける上記と同じ画素の輝度値
ＴＨｙ０：所定の閾値（正の値）
ΔＹ  ：所定の値（ＴＨｙ０＞ΔＹ＞０）
とした時に、
Ｙ(n+1) ＝ Ｙ(n) ＋ ΔＹ，    Ｉ(n)＞Ｙ(n)＋ＴＨｙ０の場合
Ｙ(n+1) ＝ Ｙ(n) − ΔＹ，    Ｉ(n)＜Ｙ(n)−ＴＨｙ０の場合
Ｙ(n+1) ＝ Ｙ(n)，            Ｙ(n)＋ＴＨｙ０≧Ｉ(n)≧Ｙ(n)−ＴＨｙ０の場合
の演算により、新しい参照画像の輝度値Ｙ(n+1)を補正して、この処理を参照画像の全ての画素について行い、色差（Ｃｒ、Ｃｂ）についても、上記と同様の処理により補正を行うようにしても良い。
【００２７】
実施の形態２．
以上の実施の形態１では、参照画像を入力画像にあわせて最適な値に変えるようにしたものであるが、異常判定処理における判定基準を入力画像にあわせて最適な値に変えるようにする実施の形態を示す。
図３は、このような場合のカメラ異常検知装置の構成を示す構成図である。
図３において、画像受信部１０はカメラ１から送出される画像データ１００を受信する受信回路、参照画像保存部２０はカメラ１が正常な時の標準的画像と推定される値を参照画像として保存する記憶素子、異常判定部３０は画像受信部１０で受信した画像データと参照画像保存部２０に記憶された参照画像との比較によりカメラ１の異常の有無を判定する判定回路、判定基準補正部５０は異常判定部３０で用いられる判定基準を補正する回路である。
【００２８】
次に動作について説明する。
画像受信部１０の動作は上記実施の形態１と同様である。
参照画像保存部２０は、異常判定部３０においてカメラ１が正常か否かの判定に用いるための、標準的画像と推定されるカメラ画像を参照画像として保存しておくものである。
参照画像保存部２０内に保存する参照カメラ画像の初期値は、カメラ正常の時の画像データが用いられ、例えば画像監視システムの設置後、運用開始前に、ユーザが表示端末４でカメラ画像が正常であることを確認しながら、初期データ取り込み指示１０２の操作をすると、その操作時のカメラ画像における、各画素の輝度（Ｙ）、色差（Ｃｒ、Ｃｂ）の値が参照カメラ画像として参照画像保存部２０内に取り込まれる。
【００２９】
次に異常判定部３０は、画像受信部１０から入力画像の各画素の輝度（Ｙ）と、色差（Ｃｒ、Ｃｂ）データを入力するとともに、参照画像保存部２０から参照画像の各画素の輝度（Ｙ）と、色差（Ｃｒ、Ｃｂ）データを入力し、各画素について、入力画像と参照画像の輝度（Ｙ）と、色差（Ｃｒ、Ｃｂ）の差を算出する。
そして、入力画像と参照画像の差が大きい画素数（Ｎｄ）を算出する。具体的には、例えば、以下の３つの条件のうち少なくとも１つを満足する画素数をカウントし、これを入力画像と参照画像の差が大きい画素数（Ｎｄ）とする。
条件１：算出された輝度（Ｙ）の差が、所定の閾値（ＴＨｙ）よりも大きい。
条件２：算出された色差（Ｃｒ）の差が、所定の閾値（ＴＨｃｒ）よりも大きい。
条件３：算出された色差（Ｃｂ）の差が、所定の閾値（ＴＨｃｂ）よりも大きい。
そして、カウントされた画素数（Ｎｄ）が、所定の閾値ＴＨｎｄよりも大きい場合、異常と判定し、それ以外の場合正常と判定し、判定結果を出力する。
【００３０】
ここで、上記閾値ＴＨｙ、ＴＨｃｒ、ＴＨｃｂは、固定値ではなく、判定基準補正部５０からの指示に従い、適切な値に補正される。
判定基準補正部５０は、異常判定部３０の判定結果が「正常」の場合に、以下の処理により異常判定部３０で用いられる閾値ＴＨｙ、ＴＨｃｒ、ＴＨｃｂの補正を指示する。
【００３１】
すなわち、異常判定部３０においてカウントされた画素数（Ｎｄ）が、所定の値ＴＨｎｄ２（但し、ＴＨｎｄ＞ＴＨｎｄ２）よりも大きい状態が所定時間継続した場合、カメラの設置場所の人通りが多いなどの理由により画像の変化が大きいと判断し、現在用いられている閾値ＴＨｙ、ＴＨｃｒ、ＴＨｃｂを、より画像の変化の大きい環境に適した値に補正するため、それぞれ微小量増大させる。
すなわち、
ＴＨｙ(n)：時刻ｎにおける閾値ＴＨｙ
ＴＨｃｒ(n)：時刻ｎにおける閾値ＴＨｃｒ
ＴＨｃｂ(n)：時刻ｎにおける閾値ＴＨｃｂ
ΔＴＨｙ、ΔＴＨｃｒ、ΔＴＨｃｂ：微小量
とした時に、
ＴＨｙ(n+1) ＝ ＴＨｙ(n) ＋ΔＴＨｙ
ＴＨｃｒ(n+1) ＝ ＴＨｃｒ(n) ＋ΔＴＨｃｒ
ＴＨｃｂ(n+1) ＝ ＴＨｃｂ(n) ＋ΔＴＨｃｂ
の演算により、新しい閾値ＴＨｙ(n+1)、ＴＨｃｒ(n+1)、ＴＨｃｂ(n+1)を定めることができる。
【００３２】
一方、異常判定部３０においてカウントされた画素数（Ｎｄ）が、所定の値ＴＨｎｄ２（但し、ＴＨｎｄ＞ＴＨｎｄ２）よりも小さい状態が所定時間継続した場合、カメラの設置場所の人通りがほとんど無いなどの理由により画像の変化が小さいと判断し、現在用いられている閾値ＴＨｙ、ＴＨｃｒ、ＴＨｃｂを、より画像の変化の小さい環境に適した値に補正するため、それぞれ微小量減少させる。
すなわち、
ＴＨｙ(n)：時刻ｎにおける閾値ＴＨｙ
ＴＨｃｒ(n)：時刻ｎにおける閾値ＴＨｃｒ
ＴＨｃｂ(n)：時刻ｎにおける閾値ＴＨｃｂ
ΔＴＨｙ、ΔＴＨｃｒ、ΔＴＨｃｂ：微小量
とした時に、
ＴＨｙ(n+1) ＝ ＴＨｙ(n) −ΔＴＨｙ
ＴＨｃｒ(n+1) ＝ ＴＨｃｒ(n) −ΔＴＨｃｒ
ＴＨｃｂ(n+1) ＝ ＴＨｃｂ(n) −ΔＴＨｃｂ
の演算により、新しい閾値ＴＨｙ(n+1)、ＴＨｃｒ(n+1)、ＴＨｃｂ(n+1)を定めることができる。
なお、判定基準補正部５０は、異常判定部３０の判定結果が「異常」の場合には、異常判定部３０に対する閾値の補正指示は行わない。
【００３３】
以上のように、異常判定部３０で用いる判定閾値を入力画像にあわせて最適な値に変えるようにしているので、カメラの設置環境（人通りの多少など）にかかわらず、異常判定の誤りが少ない安定した動作をさせることができる効果がある。
なお、上記実施の形態２においては、参照画像の補正を行わず、異常判定処理における判定基準を入力画像にあわせて最適な値に変えるようにする実施の形態について説明したが、実施の形態１で説明した参照画像の補正処理を、この実施の形態の構成と組み合わせて用いても良い。
また、図３の判定基準補正部５０において、異常判定部３０で用いられる閾値ＴＨｙ、ＴＨｃｒ、ＴＨｃｂの補正を指示するものについて説明したが、補正する閾値はＴＨｙ、ＴＨｃｒ、ＴＨｃｂに限らず、例えば閾値ＴＨｎｄを補正しても良い。
【００３４】
実施の形態３．
上記の実施の形態１では、参照画像と入力画像とを画素ごとに比較するようにしたものであるが、参照画像と入力画像をそれぞれ複数エリアのブロックに分割し、ブロックごとに画像の特徴量を抽出して比較するようにする実施の形態を示す。
図４は、このような場合のカメラ異常検知装置の構成を示す構成図である。
図４において、画像受信部１０はカメラ１から送出される画像データ１００を受信する受信回路、参照画像保存部２１はカメラ１が正常な時の標準的画像と推定される画像の特徴量を参照データとして保存する記憶素子、異常判定部３０は特徴量抽出部８０で抽出した画像の特徴量と参照画像保存部２１に記憶された特徴量（参照データ）との比較によりカメラ１の異常の有無を判定する判定回路、参照画像補正部４１は特徴量抽出部８０で抽出した特徴量と異常判定部３０の判定結果に基づき、参照画像保存部２１に記憶された特徴量（参照データ）を補正する回路、ブロック分割部６０は画像受信部１０で受信した画像データを複数領域のブロックに分割し出力する回路、特徴量抽出部８０は分割されたブロック毎に画像の特徴量を抽出する回路である。
【００３５】
次に動作について説明する。
画像受信部１０の動作は上記実施の形態１と同様である。
ブロック分割部６０は、画像受信部１０の出力する各画素の輝度（Ｙ）と、色差（Ｃｒ、Ｃｂ）を入力し、画像の１画面を複数領域のブロックに分割して、ブロック毎の輝度（Ｙ）と、色差（Ｃｒ、Ｃｂ）信号を出力する。
特徴量抽出部８０は、ブロック分割部６０の出力するブロック毎の輝度（Ｙ）と、色差（Ｃｒ、Ｃｂ）信号を入力し、ブロック毎に輝度（Ｙ）の平均値を算出して、この値を画像の特徴量として出力する。
【００３６】
参照画像保存部２１は、後述する異常判定部３０においてカメラ１が正常か否かの判定に用いるための、標準的画像と推定されるカメラ画像の特徴量を参照データとして保存しておくものである。
参照画像保存部２１内に保存する特徴量（参照データ）の初期値は、カメラ正常の時の画像データから算出されたブロック毎の輝度（Ｙ）の平均値が用いられ、例えば画像監視システムの設置後、運用開始前に、ユーザが表示端末４でカメラ画像が正常であることを確認しながら、初期データ取り込み指示１０２の操作をすると、その操作時のカメラ画像から特徴量抽出部８０で算出された、画面分割された各ブロック毎の輝度（Ｙ）の平均値が特徴量（参照データ）として参照画像保存部２１内に取り込まれる。
【００３７】
また、画像監視システムの運用を開始すると、参照画像保存部２１は、参照画像補正部４１からの指示に従い、特徴量（参照データ）を最適な値に補正する。
なお、上記初期値として取り込む画像の特徴量は、人などの動く物体が映り込んでいないときの画像から算出された特徴量を使うことがより望ましいが、後に説明する参照画像補正部４１の動作により特徴量（参照データ）が最適な値に補正されるので、人などの動く物体が映り込んでいても正常に動作する。
【００３８】
次に異常判定部３０は、特徴量抽出部８０から入力画像の各ブロックの輝度（Ｙ）の平均値データを入力するとともに、参照画像保存部２１から特徴量（参照データ）として保存された各ブロックの輝度（Ｙ）の平均値データを入力し、各ブロックについて、入力画像の輝度（Ｙ）の平均値と、参照画像保存部２１に参照データとして保存された輝度（Ｙ）の平均値との差を算出する。
そして、入力画像と参照画像の差が大きいブロック数（Ｎｂ）を算出する。具体的には、例えば、以下の条件を満足するブロック数をカウントし、これを入力画像と参照画像の差が大きいブロック数（Ｎｂ）とする。
条件：算出された輝度の平均値（Ｙｍ）の差が、所定の閾値（ＴＨｙｍ）よりも大きい。
【００３９】
そして、カウントされたブロック数（Ｎｂ）が、所定の閾値ＴＨｎｂよりも大きい場合に異常と判定し、それ以外の場合正常と判定し、判定結果を出力する。
参照画像補正部４１は、異常判定部３０の判定結果が「正常」の場合に、以下の処理により参照画像保存部２１に記憶された特徴量（参照データ）を補正する。
すなわち、参照画像保存部２１内に現在保存されている参照画像の各ブロックの輝度（Ｙ）の平均値を、各ブロックの入力画像データの輝度（Ｙ）の平均値に近づく方向に微小変動させ、新しい参照画像の輝度（Ｙ）の平均値とする。すなわち、
Ｙｍ(n)：参照画像の、時刻ｎにおける特定のブロックの輝度平均値
Ｉｍ(n)：入力画像の、時刻ｎにおける上記と同じブロックの輝度平均値
Ｐ  ：所定の係数（０に近い正の値）
とした時に、
Ｙｍ(n+1) ＝ （１−Ｐ）・Ｙｍ(n) ＋Ｐ・Ｉｍ(n)
の演算により、新しい参照画像の輝度平均値Ｙｍ(n+1)を補正することができる。この処理を参照画像の全てのブロックについて行う。
【００４０】
そして、補正された新しい参照画像の輝度平均値を参照画像保存部２１にセットする。
なお、参照画像補正部４１は、異常判定部３０の判定結果が「異常」の場合には、参照画像保存部２１に対する特徴量（参照データ）の補正は行わない。
【００４１】
以上のように、画像を複数のブロックに分割し、分割したブロック毎に参照画像と入力画像とを比較するようにし、差異の大きいブロック数が所定数以下の場合に正常と判定させるようにしたので、入力画像内に人物などの動く物体が映り込んだ場合でも、人物の映っていない背景部分のブロックの差異が少ないため、誤って異常と判定されるのを防ぐことができる効果がある。
また、参照データ保存部に保存された特徴量（参照データ）を入力画像にあわせて最適な値に変えるようにしているので、人通りの多少など画像の変化の大きさにかかわらず、設置環境に応じた最適な値に特徴量（参照データ）が補正され、異常判定の誤りが少ない安定した動作をさせることができる効果がある。
【００４２】
また、画像を複数のブロックに分割し、ブロック毎に画像の特徴量を抽出して異常判定を行うので、異常判定部において比較するデータ数を削減でき、処理負荷を軽減できる効果がある。
なお、図４において、参照画像保存部２１は、ブロック毎の輝度（Ｙ）の平均値をカメラ画像の特徴量として保存するものについて説明したが、特徴量は輝度の平均値に限らない。例えば色差の平均値を特徴量として用いても良い
【００４３】
実施の形態４．
上記の実施の形態１では、単一の参照画像を持たせて参照画像を入力画像にあわせて最適な値に変えるようにしていたが、次に適用させる時間帯に応じた複数の参照画像を持たせて、それぞれの参照画像を適用させる時間帯を入力画像にあわせて最適な値に変えるようにする実施の形態を示す。
【００４４】
図５は、このような場合のカメラ異常検知装置の構成を示す構成図である。
図５において、画像受信部１０はカメラ１から送出される画像データ１００を受信する受信回路、参照画像保存部２１、２２はカメラ１が正常な時の標準的画像と推定される値を参照画像として保存する記憶素子、異常判定部３０は画像受信部１０で受信した画像データと参照画像保存部２１もしくは参照画像保存部２２に記憶された参照画像との比較によりカメラ１の異常の有無を判定する判定回路、参照画像読出し制御部７０は異常判定部３０で用いる参照画像として、参照画像保存部２１もしくは参照画像保存部２２に記憶された参照画像のうちいずれか一方を選択して読出す制御回路である。
【００４５】
次に動作について説明する。
画像受信部１０の動作は上記実施の形態１と同様である。
参照画像保存部２１、２２は、後述する異常判定部３０においてカメラ１が正常か否かの判定に用いるための、標準的画像と推定されるカメラ画像を参照画像として保存しておくものである。このうち参照画像保存部２１は昼の時間帯におけるカメラ異常判定に用いられ、昼間の明るい環境における参照カメラ画像が保存されている。一方参照画像保存部２２は夜の時間帯におけるカメラ異常判定に用いられ、夜間の暗い環境における参照なカメラ画像が保存されている。
【００４６】
参照画像保存部２１、２２内に保存する参照カメラ画像の初期値は、カメラ正常の時の画像データが用いられ、例えば画像監視システムの設置後、運用開始前に、昼の時間帯、夜の時間帯のそれぞれにおいて、システムの設置者が表示端末４でカメラ画像が正常であることを確認しながら、初期データ取り込み指示１０２、１０３の操作をすると、その操作時のカメラ画像における、各画素の輝度（Ｙ）と、色差（Ｃｒ、Ｃｂ）の値が参照カメラ画像として参照画像保存部２１もしくは参照画像保存部２２内に取り込まれる。
【００４７】
次に異常判定部３０は、画像受信部１０から入力画像の各画素の輝度（Ｙ）と、色差（Ｃｒ、Ｃｂ）データを入力するとともに、参照画像読出し制御部７０を経由して、参照画像保存部２１もしくは参照画像保存部２２からの参照画像の各画素の輝度（Ｙ）と、色差（Ｃｒ、Ｃｂ）データを入力し、各画素について、入力画像と参照画像の輝度（Ｙ）と、色差（Ｃｒ、Ｃｂ）の差を算出する。
【００４８】
そして、入力画像と参照画像の差が大きい画素数（Ｎｄ）を算出する。具体的には、例えば、以下の３つの条件のうち少なくとも１つを満足する画素数をカウントし、これを入力画像と参照画像の差が大きい画素数（Ｎｄ）とする。
条件１：算出された輝度（Ｙ）の差が、所定の閾値（ＴＨｙ）よりも大きい。
条件２：算出された色差（Ｃｒ）の差が、所定の閾値（ＴＨｃｒ）よりも大きい。
条件３：算出された色差（Ｃｂ）の差が、所定の閾値（ＴＨｃｂ）よりも大きい。
そして、カウントされた画素数（Ｎｄ）が、所定の閾値ＴＨｎｄよりも大きい場合、異常と判定し、それ以外の場合正常と判定し、判定結果を出力する。
【００４９】
参照画像読出し制御部７０は、明るい昼の時間帯は参照画像保存部２１に保存された参照画像を読み出して異常判定部３０に出力し、暗い夜の時間帯は参照画像保存部２２に保存された参照画像を読み出して異常判定部３０に出力する。
参照画像読出し制御部７０が参照画像保存部２１あるいは参照画像保存部２２を読み出す時間帯は入力画像にあわせて最適な値に変えるようにする。その具体的手順を以下に説明する。
【００５０】
参照画像読出し制御部７０は、画像監視システムの設置後、運用開始前の初期状態においては、午前６時から午後６時までの間は参照画像保存部２１に保存された昼用の参照画像を読み出し、午後６時から翌朝午前６時までの間は参照画像保存部２２に保存された夜用の参照画像を読み出すよう、プリセットされているものとする。
そして、画像監視システムの運用を開始すると、参照画像読出し制御部７０はプリセットされた時間帯に従って参照画像保存部２１または参照画像保存部２２に保存された参照画像を読出すように制御するが、参照画像保存部２１または参照画像保存部２２を適用する時間帯を、より適切な時間帯になるように自動的に変更する。
例えば、昼から夜への時間帯の変わり目において、画像受信部１０の出力する各画素の輝度（Ｙ）の平均値（Ｙｍ１）と、参照画像保存部２１の出力する各画素の輝度（Ｙ）の平均値（Ｙｍ２）を算出し、これらの平均値（Ｙｍ１、Ｙｍ２）を比較し、
Ｙｍ１＜Ｙｍ２−Ｔｈ１，            （１）
の条件を満たすかどうかを判定する。但し、Ｔｈ１は所定の閾値である。
【００５１】
昼から夜への時間帯の変わり目においては、撮影エリアの明るさが次第に暗くなることにより画像の輝度が低下し、Ｙｍ１の値が減少する。そして上記（１）式を満たした際に、撮影した画像の明るさと昼用の参照画像の明るさの差が大きくなったと判断され、もはや昼用の参照画像を用いるべきではなく夜用の参照画像を使うべきであると考えられる。
【００５２】
そして、上記（１）式を満足した時刻（Ｔ１）と参照画像保存部２１を適用する時間帯の終了時刻（Ｔ２）とを比較し、Ｔ１がＴ２よりも早い場合、参照画像保存部２１を適用する時間帯の終了時刻を早めに設定し、翌日の運用時に適用する。例えば、参照画像保存部２１を適用する時間帯が午前６時から午後６時であり、上記（１）式を満足した時刻が午後５時５０分であった場合、翌日に参照画像保存部２１を適用する時間帯を午前６時から午後５時５９分までとし、参照画像保存部２２を適用する時間帯を午後５時５９分から午前６時までとする。
【００５３】
一方、参照画像保存部２１を適用する時間帯の終了時刻（Ｔ２）になっても上記（１）式を満たさない場合、参照画像保存部２１を適用する時間帯の終了時刻を遅めに設定し、翌日の運用時に適用する。例えば、参照画像保存部２１を適用する時間帯が午前６時から午後６時であり、午後６時になっても上記（１）式を満たさない場合、翌日に参照画像保存部２１を適用する時間帯を午前６時から午後６時１分までとし、参照画像保存部２２を適用する時間帯を午後６時１分から午前６時までとする。
また、夜から昼への時間帯の変わり目において、画像受信部１０の出力する各画素の輝度（Ｙ）の平均値（Ｙｍ１）と、参照画像保存部２１の出力する各画素の輝度（Ｙ）の平均値（Ｙｍ２）を比較し、
Ｙｍ１＞Ｙｍ２＋Ｔｈ１，              （２）
の条件を満たすかどうかを判定する。但し、Ｔｈ１は所定の閾値である。
【００５４】
夜から昼への時間帯の変わり目においては、撮影エリアの明るさが次第に明るくなることにより画像の輝度が増加し、Ｙｍ１の値が増加する。そして上記（２）式を満たした際に、撮影した画像の明るさと昼用の参照画像の明るさの差が大きくなったと判断され、もはや夜用の参照画像を用いるべきではなく昼用の参照画像を使うべきであると考えられる。
そして、上記（２）式を満足した時刻（Ｔ３）と参照画像保存部２２を適用する時間帯の終了時刻（Ｔ４）とを比較し、Ｔ３がＴ４よりも早い場合、参照画像保存部２２を適用する時間帯の終了時刻を早めに設定し、翌日の運用時に適用する。例えば、参照画像保存部２１を適用する時間帯が午後６時から午前６時であり、上記（２）式を満足した時刻が午前５時５０分であった場合、翌日に参照画像保存部２２を適用する時間帯を午後６時から午前５時５９分までとし、参照画像保存部２１を適用する時間帯を午前５時５９分から午後６時までとする。
【００５５】
一方、参照画像保存部２２を適用する時間帯の終了時刻（Ｔ４）になっても上記（２）式を満たさない場合、参照画像保存部２２を適用する時間帯の終了時刻を遅めに設定し、翌日の運用時に適用する。例えば、参照画像保存部２２を適用する時間帯が午後６時から午前６時であり、午前６時になっても上記（２）式を満たさない場合、翌日に参照画像保存部２２を適用する時間帯を午後６時から午前６時１分までとし、参照画像保存部２１を適用する時間帯を午前６時１分から午後６時までとする。
【００５６】
以上のように、適用させる時間帯に応じた複数の参照画像を持たせて、それぞれの参照画像を適用させる時間帯を入力画像にあわせて最適な値に変えるようにしたので、季節の変化にともなって昼夜の時間が変わっても、最適な参照画像を適用する時間帯が自動的に調整され、良好な判定性能が得られる効果がある。
なお、上記実施の形態４においては、昼間用、夜間用の２種類の参照画像を用いるものについて説明したが、用いる参照画像の数は２種類に限らず、２以上の任意の数であって良い。例えば、夜間用、日の出時用、昼間用、日の入り時用というように４種類の参照画像を用いるようなものであっても良い。
【００５７】
実施の形態５．
上記の実施の形態２では、参照画像と入力画像とを画素ごとに比較するようにしたものであるが、参照画像と入力画像をそれぞれ複数エリアのブロックに分割し、ブロックごとに画像の特徴量を抽出して比較するようにする実施の形態を示す。
図６は、このような場合のカメラ異常検知装置の構成を示す構成図である。
図６において、画像受信部１０はカメラ１から送出される画像データ１００を受信する受信回路、参照画像保存部２１はカメラ１が正常な時の標準的画像と推定される画像の特徴量を参照データとして保存する記憶素子、異常判定部３０は特徴量抽出部８０で抽出した画像の特徴量と参照画像保存部２１に記憶された特徴量（参照データ）との比較によりカメラ１の異常の有無を判定する判定回路、判定基準補正部５０は、異常判定部３０で用いられる判定基準を補正する回路、ブロック分割部６０は画像受信部１０で受信した画像データを複数エリアのブロックに分割し出力する回路、特徴量抽出部８０は分割されたブロック毎に画像の特徴量を抽出する回路である。
【００５８】
次に動作について説明する。
画像受信部１０の動作は上記実施の形態２と同様である。
ブロック分割部６０は、画像受信部１０の出力する各画素の輝度（Ｙ）、色差（Ｃｒ、Ｃｂ）を入力し、画像の１画面を複数領域のブロックに分割して、ブロック毎の輝度（Ｙ）、色差（Ｃｒ、Ｃｂ）信号を出力する。
特徴量抽出部８０は、ブロック分割部６０の出力するブロック毎の輝度（Ｙ）と、色差（Ｃｒ、Ｃｂ）信号を入力し、ブロック毎に輝度（Ｙ）の平均値を算出して、この値を画像の特徴量として出力する。
【００５９】
参照画像保存部２１は、後述する異常判定部３０においてカメラ１が正常か否かの判定に用いるための、標準的画像と推定されるカメラ画像の特徴量を参照データとして保存しておくものである。
参照画像保存部２１内に保存する特徴量（参照データ）の初期値は、カメラ正常の時の画像データから算出されたブロック毎の輝度（Ｙ）の平均値が用いられ、例えば画像監視システムの設置後、運用開始前に、ユーザが表示端末４でカメラ画像が正常であることを確認しながら、初期データ取り込み指示１０２の操作をすると、その操作時のカメラ画像から特徴量抽出部８０で算出された、画面分割された各ブロック毎の輝度（Ｙ）の平均値が特徴量（参照データ）として参照画像保存部２１内に取り込まれる。
【００６０】
次に異常判定部３０は、特徴量抽出部８０から入力画像の各ブロックの輝度（Ｙ）の平均値データを入力するとともに、参照画像保存部２１から特徴量（参照データ）として保存された各ブロックの輝度（Ｙ）の平均値データを入力し、各ブロックについて、入力画像の輝度（Ｙ）の平均値と、参照データとして保存された輝度（Ｙ）の平均値との差を算出する。
【００６１】
そして、入力画像と参照画像の差が大きいブロック数（Ｎｂ）を算出する。具体的には、例えば、以下の条件を満足するブロック数をカウントし、これを入力画像と参照画像の差が大きいブロック数（Ｎｂ）とする。
条件：算出された輝度の平均値（Ｙｍ）の差が、所定の閾値（ＴＨｙｍ）よりも大きい。
そして、カウントされたブロック数（Ｎｂ）が、所定の閾値ＴＨｎｂよりも大きい場合、異常と判定し、それ以外の場合正常と判定し、判定結果を出力する。
ここで、上記閾値ＴＨｙｍは、固定値ではなく、判定基準補正部５０からの指示に従い、適切な値に補正される。
【００６２】
判定基準補正部５０は、異常判定部３０の判定結果が「正常」の場合に、以下の処理により異常判定部３０で用いられる閾値ＴＨｙｍの補正を指示する。
すなわち、異常判定部３０においてカウントされたブロック数（Ｎｂ）が、所定の値ＴＨｎｂ２（但し、ＴＨｎｂ＞ＴＨｎｂ２）よりも大きい状態が所定時間継続した場合、カメラの設置場所の人通りが多いなどの理由により画像の変化が大きいと判断し、現在用いられている閾値ＴＨｙｍを、より画像の変化の大きい環境に適した値に補正するため、微小量増大させる。
すなわち、
ＴＨｙｍ(n)：時刻ｎにおける閾値ＴＨｙｍ
ΔＴＨｙ：微小量
とした時に、
ＴＨｙｍ(n+1) ＝ ＴＨｙｍ(n) ＋ΔＴＨｙ
の演算により、新しい閾値ＴＨｙｍ(n+1)を定めることができる。
【００６３】
一方、異常判定部３０においてカウントされたブロック数（Ｎｂ）が、所定の値ＴＨｎｂ２（但し、ＴＨｎｂ＞ＴＨｎｂ２）よりも小さい状態が所定時間継続した場合、カメラの設置場所の人通りがほとんど無いなどの理由により画像の変化が小さいと判断し、現在用いられている閾値ＴＨｙｍを、より画像の変化の小さい環境に適した値に補正するため、微小量減少させる。
すなわち、
ＴＨｙｍ(n)：時刻ｎにおける閾値ＴＨｙｍ
ΔＴＨｙ：微小量
とした時に、
ＴＨｙｍ(n+1) ＝ ＴＨｙｍ(n) −ΔＴＨｙ
の演算により、新しい閾値ＴＨｙｍ(n+1)を定めることができる。
なお、判定基準補正部５０は、異常判定部３０の判定結果が「異常」の場合には、異常判定部３０に対する閾値の補正指示は行わない。
【００６４】
以上のように、画像を複数のブロックに分割し、分割したブロック毎に参照画像と入力画像とを比較するようにし、差異の大きいブロック数が所定数以下の場合に正常と判定させるようにしたので、入力画像内に人物などの動く物体が映り込んだ場合でも、人物の映っていない背景部分のブロックの差異が少ないため、誤って異常と判定されるのを防ぐことができる効果がある。
また、異常判定部で用いる判定閾値を入力画像にあわせて最適な値に変えるようにしているので、カメラの設置環境（人通りの多少など）にかかわらず、異常判定の誤りが少ない安定した動作をさせることができる効果がある。
【００６５】
また、画像を複数のブロックに分割し、ブロック毎に画像の特徴量を抽出して異常判定を行うので、異常判定部において比較するデータ数を削減でき、処理負荷を軽減できる効果がある。
なお、図６において、参照画像保存部２１は、ブロック毎の輝度（Ｙ）の平均値をカメラ画像の特徴量として保存するものについて説明したが、特徴量は輝度の平均値に限らない。例えば色差の平均値を特徴量として用いても良い
また、図６において、異常判定部３０は輝度の平均値（Ｙｍ）の差を評価するための閾値（ＴＨｙｍ）を判定基準補正部５０からの指示に従い、適切な値に補正するものについて説明したが、補正する閾値はＴＨｙｍに限らず、例えば、異常判定部３０において入力画像と参照画像の差が大きいブロック数（Ｎｂ）を評価するための閾値（ＴＨｎｂ）を、判定基準補正部５０からの指示に従い、適切な値に補正するようにしても良い。
【産業上の利用可能性】
【００６６】
この発明に係るカメラ異常検知装置は、カメラの異常を検出するための参照画像または判定基準を撮影対象の環境に合わせて補正できるという効果を有しており、特にカメラによって監視対象を撮影した撮影画像を参照して異常状態を検出する監視システムに適用可能である。
【図面の簡単な説明】
【００６７】
【図１】カメラ異常検知装置が適用される画像監視システムの構成図である。
【図２】この発明の実施の形態１におけるカメラ異常検知装置の構成図である。
【図３】この発明の実施の形態２におけるカメラ異常検知装置の構成図である。
【図４】この発明の実施の形態３におけるカメラ異常検知装置の構成図である。
【図５】この発明の実施の形態４におけるカメラ異常検知装置の構成図である。
【図６】この発明の実施の形態５におけるカメラ異常検知装置の構成図である。
【符号の説明】
【００６８】
１；カメラ、２；ネットワーク、３；レコーダ、４；表示端末、５；カメラ異常検知装置、１０；画像受信部、２０、２１；参照画像保存部、３０；異常判定部、４０、４１；参照画像補正部、５０；判定基準補正部、６０；ブロック分割部、７０；参照画像読出し制御部、８０；特徴量抽出部。
【図１】
2008236353.tif 000003
【図２】
2008236353.tif 000004
【図３】
2008236353.tif 000005
【図４】
2008236353.tif 000006
【図５】
2008236353.tif 000007
【図６】
2008236353.tif 000008